(57)【要約】【課題】  制御盤装置のメンテナンス性を大幅に向上することができるようにする。【解決手段】  本発明の制御回路機器取付ユニット１は、パネル配設部１２に列設された取付パネル片に対し、制御回路機器１４が取り付けられるように構成された制御盤装置１０に使用するものである。そして、取付パネル片と互換性をもってパネル配設部１２に着脱可能に構成され、制御回路機器１４が取り付けられる取付パネル体２と、該取付パネル体２に装備され、パネル配設部１２から取り外された状態にある該取付パネル体２を略起立状態に支持する枠状のフレーム体３とを備えている。【選択図】      図３
2008125255.tif 000002
【特許請求の範囲】
【請求項１】
パネル配設部に列設された取付パネル片に対し、制御回路機器が取り付けられるように構成された制御盤装置に使用する制御回路機器取付ユニットであって、
前記取付パネル片と互換性をもって前記パネル配設部に着脱可能に構成され、前記制御回路機器が取り付けられる取付パネル体と、
該取付パネル体に装備され、前記パネル配設部から取り外された状態にある該取付パネル体を略起立状態に支持する枠状のフレーム体と
を備えた制御回路機器取付ユニット。
【請求項２】
前記取付パネル体は、前記取付パネル片を利用して構成された請求項１記載の制御回路機器取付ユニット。
【請求項３】
制御盤装置に設けられたパネル配設部に列設され、該制御盤装置に対し制御回路機器を取り付けるために使用される制御回路機器取付ユニットであって、
前記パネル配設部に着脱可能に装着されるとともに、制御回路機器が取り付けられる取付パネル体と、
該取付パネル体に装備され、前記パネル配設部から取り外された状態にある該取付パネル体を略起立状態に支持する枠状のフレーム体と
を備えた制御回路機器取付ユニット。
【請求項４】
前記フレーム体は、前記取付パネル体のパネル面と略同サイズに形成された矩形枠部と、該矩形枠部が該パネル面に対峙するようにして、該矩形枠部を該取付パネル体に支持する支持枠部とを備えた請求項１〜３のいずれか一項に記載の制御回路機器取付ユニット。
【請求項５】
複数個が互いに連結可能に構成され、該連結されたままの状態で前記パネル配設部に装着可能に構成された請求項１〜４のいずれか一項に記載の制御回路機器取付ユニット。
【請求項６】
制御回路機器が取り付けられた状態における重心が平面視で前記取付パネル体よりも前記フレーム体側へ離れた位置となるように構成された請求項１〜５のいずれか一項に記載の制御回路機器取付ユニット。
【請求項７】
請求項１〜６のいずれか一項に記載された前記制御回路機器取付ユニットを備えた制御盤装置。
【発明の詳細な説明】
【技術分野】
【０００１】
本発明は、リレー等の制御回路機器を制御盤装置に取り付けるための制御回路機器取付ユニットと、それを備えた制御盤装置に関するものである。
【背景技術】
【０００２】
背景技術としては、図４及び図５に記載された踏切保安設備用の制御盤装置５０を例示する。この種の制御盤装置５０では、筐体５１の上段のパネル配設部５２に列設された取付パネル片５３に対し、それぞれ複数の制御回路機器５４が取り付けられるように構成されている。取付パネル片５３は、４個又は６個の機器取付穴５３ａが設けられた長方形の金属板からなっており、該金属板の長手方向である上下方向を補強するために該金属板の左右の縁部５３ｂは後方へ略直角に折り曲げられている。各機器取付穴５３ａには、取付パネル片５３の背面側に配線接続用端子を露出させた状態で、それぞれ制御回路機器５４が取り付けられるようになっている。本例では、各取付パネル片５３は、その上縁部及び下縁部がパネル配設部５２の上側のフレーム片５２ａ及び下側のフレーム片５２ｂにそれぞれネジ等の取付手段５５により取り付けられる。また、筐体５１の下段には、ネジ式端子５６が設けられており、該端子を介して制御回路機器５４同士の配線５７による接続や外部機器（図示略）との配線５７による接続が行われている。
【０００３】
また、この種の制御盤装置においては、特許文献１記載の制御盤装置のように、監視対象側へ設置される複数のセンサからの検知信号を受信する複数の信号回線を接続するために、制御盤装置本体内に設けられるリレー等の制御回路機器側の信号線接続部には、複雑な配線接続が余儀なくされているという実情がある。この種の装置として、信号線接続を集中的に行うために端子台を複数個設けて、信号線接続をグルーピングし、接続不良や誤配線をなくす工夫がなされている。
【０００４】
【特許文献１】特開２００６−１５８０８５号公報
【発明の開示】
【発明が解決しようとする課題】
【０００５】
ところが、この種の踏切保安設備の監視対象である踏切設備は、踏切ごとに異なっていることが多く、現地の構成に合わせてその都度電気結線図が作成されており、その踏切固有の電気結線図に基づいて、その踏切固有の制御盤装置５０が構成されているという事情がある。また、保安設備の性格上、（ａ）万一の場合人命にかかわるため、回路内の端子、コネクタ類は弱点箇所であるので、極力使用が制限されている、（ｂ）大型のリレー等の制御回路機器５４が多数使用されており配線も太いため、回路全体が大型である、（ｃ）インターロックのための回路相互間の配線が多く、配線が複雑化する、という事情もある。このように、踏切固有に構成され、かつ、大型の制御回路機器５４が使用され、かつ、内部で複雑に配線された制御盤装置５０の回路変更は、現地で行わざるを得ず、大幅な回路変更工事が必要な場合、作業時間が長くなるという課題がある。また、作業時間を短縮するために、制御盤装置５０全体を交換すると、コストが掛かりすぎるという課題がある。
【０００６】
また、監視対象設備が踏切保安設備のように公共的な設備である場合、監視対象設備の変更等に伴う制御盤装置５０の配線等の変更が必要なときに、作業が長時間にわたると社会的な影響が大きく、作業の効率化が要求される。しかし、限られた時間内に、大幅な回路変更を行おうとすると、作業ミスが発生し易くなるという課題がある。
【課題を解決するための手段】
【０００７】
上記課題を解決するために、第１の発明の制御回路機器取付ユニットは、
パネル配設部に列設された取付パネル片に対し、制御回路機器が取り付けられるように構成された制御盤装置に使用する制御回路機器取付ユニットであって、
前記取付パネル片と互換性をもって前記パネル配設部に着脱可能に構成され、前記制御回路機器が取り付けられる取付パネル体と、
該取付パネル体に装備され、前記パネル配設部から取り外された状態にある該取付パネル体を略起立状態に支持する枠状のフレーム体と
を備えている。
【０００８】
この構成によれば、前記パネル配設部から取り外された状態にある該取付パネル体が、前記フレーム体により略起立状態に支持されるように構成されているので、該取り外された状態にある該取付パネル体に対する前記制御回路機器の着脱や、該制御回路機器に対する配線等の作業性が向上する。また、前記フレーム体は枠状になっており、前記制御回路機器の着脱や、該制御回路機器に対する配線等の前記取付パネル体に対する作業を阻害しないようにしている。従って、本発明の制御回路機器取付ユニットに対して、事前に、制御回路機器を取り付けるとともに、該制御回路機器に対する配線を行っておくことができ、既設の制御盤装置の回路変更する際の、現地での作業時間を大幅に短縮することができる。そして、制御盤装置の回路構成を本発明の制御回路機器取付ユニットの前記取付パネル体単位でブロック化することにより、該取付パネル体から制御盤装置の他の部位に渡る配線が少なくなるように構成しておけば、現地に設置された制御盤装置に対する作業時間をさらに短縮することができる。
【０００９】
第２の発明の制御回路機器取付ユニットとしては、前記第１の発明において、
前記取付パネル体は、前記取付パネル片を利用して構成された態様を例示する。
【００１０】
この構成によっても、前記制御回路機器取付ユニットと同様の効果を得ることができる。
【００１１】
また、第３の発明の制御回路機器取付ユニットは、
制御盤装置に設けられたパネル配設部に列設され、該制御盤装置に対し制御回路機器を取り付けるために使用される制御回路機器取付ユニットであって、
前記パネル配設部に着脱可能に装着されるとともに、制御回路機器が取り付けられる取付パネル体と、
該取付パネル体に装備され、前記パネル配設部から取り外された状態にある該取付パネル体を略起立状態に支持する枠状のフレーム体と
を備えている。
【００１２】
この構成によれば、前記第１の発明と同様の効果を、制御盤装置を新規に設置する場合にも得ることができる。
【００１３】
第４の発明の制御回路機器取付ユニットとしては、前記第１〜３のいずれかの発明において、
前記フレーム体は、前記取付パネル体のパネル面と略同サイズに形成された矩形枠部と、該矩形枠部が該パネル面に対峙するようにして、該矩形枠部を該取付パネル体に支持する支持枠部とを備えた態様を例示する。
【００１４】
この構成によれば、本発明の制御回路機器取付ユニットの外形がブロック状になるので、運搬時や収納時の姿勢を起立状態にしたり横臥状態にしたり適宜変更することができる。また、本発明の制御回路機器取付ユニットを複数個まとめて運搬したり収納したりするときに扱いやすい。
【００１５】
第５の発明の制御回路機器取付ユニットとしては、前記第１〜４のいずれかの発明において、
複数個が互いに連結可能に構成され、該連結されたままの状態で前記パネル配設部に装着可能に構成された態様を例示する。
【００１６】
この構成によれば、多数の制御回路機器からなる回路ブロックをも構築することができる。
【００１７】
第６の発明の制御回路機器取付ユニットとしては、前記第１〜５のいずれかの発明において、
制御回路機器が取り付けられた状態における重心が平面視で前記取付パネル体よりも前記フレーム体側へ離れた位置となるように構成された態様を例示する。
【００１８】
この構成によれば、前記取付パネル体が安定的に前記略起立状態を維持することができ、前記取り外された状態にある該取付パネル体に対する前記制御回路機器の着脱や、該制御回路機器に対する配線等の作業性が向上する。
【００１９】
また、本発明の制御盤装置は、前記いずれかの発明に係る制御回路機器取付ユニットを備えている。
【００２０】
この構成によれば、前記いずれかの発明に係る前記制御回路機器取付ユニットと同様の効果を得ることができる。
【発明の効果】
【００２１】
本発明によれば、制御盤装置のメンテナンス性を大幅に向上することができるという優れた効果を奏する。
【発明を実施するための最良の形態】
【００２２】
図１〜図３は本発明を具体化した一実施形態の制御回路機器取付ユニット１及び該ユニット１を備えた制御盤装置１０を示している。本例の制御盤装置１０は、保安対象の踏切に設置される踏切保安設備用のものである。
【００２３】
この種の制御盤装置１０は、例えば単線の踏切である場合、次の回路から構成されている。
（１）単線における上り側接近点又は下り側接近点のいずれかに対する列車の接近を検知する回路。
（２）前記（１）で列車の接近を検知すると、警報装置の警報開始指示、及び遮断機に対する降下指示を出力する回路。
（３）前記（２）による警報開始指示により警報装置に警報音・光の出力を開始させる回路。
（４）前記（２）による降下指示により、前記（３）に引き続いて、遮断機を降下させる回路。
（５）列車が踏切道を通過したことを検知する回路
（６）前記（５）で列車の通過を検知すると、警報装置の警報停止指示、及び遮断機に対する上昇指示を出力する回路。
（７）前記（６）による警報停止指示により警報装置に警報音・光の出力を停止させる回路。
（８）前記（６）による上昇指示により遮断機を上昇させる回路。
（９）前記（１）で検知した接近点の反対側の接近点に列車が進入したことの検知を無視させる回路。
【００２４】
制御盤装置１０は、図１に示すように、箱状の筐体１１を備えている。本例の筐体１１は、高さ方向の中間部に設けられた棚１１ａにより上段及び下段に仕切られている。筐体１１には、パネル配設部１２として、上段の上下にそれぞれ左右方向に延びるフレーム片１２ａ，１２ｂが配設されている。パネル配設部１２には、左右方向へ６枚の取付パネル片５３（［背景技術］で説明した図４及び図５に示すものと同様のもの。）が列設されるようになっており、該取付パネル片５３を介して制御回路機器１４が取り付けられるようになっている。そして、本発明の制御回路機器取付ユニット１は、該取付パネル片５３に代えて、パネル配設部１２に装着されるようになっている。また、筐体１１の下段には、ワゴ端子１３が設けられており、該ワゴ端子１３を介して制御回路機器１４同士の配線１６の接続や外部機器（図示略）との配線１６の接続等を行うことにより、配線１６の変更や制御回路機器１４の交換が容易になるようにしている。
【００２５】
制御回路機器取付ユニット１は、図２及び図３に示すように、取付パネル片５３と互換性をもってパネル配設部１２に着脱可能に構成され、制御回路機器１４が取り付けられる取付パネル体２と、該取付パネル体２に装備され、パネル配設部１２から取り外された状態にある該取付パネル体２を略起立状態に支持する枠状のフレーム体３とを備えている。
【００２６】
取付パネル体２は、４個又は６個の機器取付穴２ａが設けられた長方形の金属板からなっており、該金属板の長手方向である上下方向を補強するために該金属板の左右の縁部２ｂは後方へ略直角に折り曲げられている。これに加え、金属板の上下の縁部２ｃも後方へ略直角に折り曲げられており、該縁部２ｃにフレーム体３を取り付けるようになっている。各機器取付穴２ａには、取付パネル体２の背面側に配線１６の接続用端子を露出させた状態で、それぞれ制御回路機器１４が取り付けられるようになっている。本例では、各取付パネル体２は、その上縁部及び下縁部がパネル配設部１２の上側のフレーム片１２ａ及び下側のフレーム片１２ｂにそれぞれネジ等の締結手段４により取り付けられる。取付パネル体２に、左右方向に２列、上下方向に３列からなる６個の機器取付穴２ａを設ける場合は、上下方向への配線１６を格納するための上下方向へ延びる線樋１５を配設可能にするために、左右方向の２列の機器取付穴２ａの間隔を、取付パネル片５３のそれよりも広めにしている。なお、取付パネル体２は、取付パネル片５３を利用して構成することもできる。
【００２７】
フレーム体３は、取付パネル体２のパネル面と略同サイズに形成された矩形枠部６と、該矩形枠部６が該パネル面に対峙するようにして、該矩形枠部６を該取付パネル体２に支持する支持枠部７とを備えている。本例の支持枠部７は、取付パネル体２のパネル面と略同サイズに形成されたベース枠７ａと、該ベース枠７ａの左右の側枠片における上端部及び下端部からそれぞれ矩形枠部６の左右の側枠片へ延設された支持枠片７ｂとを備えている。本例では、ベース枠７ａの上下の枠片が、取付パネル体２の縁部２ｃにネジ等の締結手段４で取り付けられるようになっている。各支持枠片７ｂの長手方向の途中部には、該支持枠片７ｂを左右に貫通する連結穴８が設けられている。そして、図３に示すように、取付パネル体２のパネル面が面一になるようにして、複数の制御回路機器取付ユニット１を並べ、該連結穴８同士をネジ手段等の締結手段４により締結することができるようになっている。このように制御回路機器取付ユニット１は、複数個が互いに連結可能に構成され、該連結されたままの状態でパネル配設部１２に装着可能に構成されている。また、本例のフレーム体３は、金属製であり、制御回路機器１４が取り付けられた状態における制御回路機器取付ユニット１の重心が、平面視で取付パネル体２よりもフレーム体３側へ離れた位置となる重量を有するように構成されている。
【００２８】
以上のように構成された本発明の制御回路機器取付ユニット１及び制御盤装置１０よれば、パネル配設部１２から取り外された状態にある該取付パネル体２が、フレーム体３により略起立状態に支持されるように構成されているので、該取り外された状態にある該取付パネル体２に対する制御回路機器１４の着脱や、該制御回路機器１４に対する配線等の作業性が向上する。また、フレーム体３は枠状になっており、制御回路機器１４の着脱や、該制御回路機器１４に対する配線等の取付パネル体２に対する作業を阻害しないようにしている。従って、本発明の制御回路機器取付ユニット１に対して、事前に、制御回路機器１４を取り付けるとともに、該制御回路機器１４に対する配線を行っておくことができ、制御盤装置１０を新設したり、既設の制御盤装置１０の回路変更したりする際の、現地での作業時間を大幅に短縮することができる。そして、制御盤装置１０の回路構成を本発明の制御回路機器取付ユニット１の取付パネル体２単位でブロック化することにより、該取付パネル体２から制御盤装置１０の他の部位に渡る配線が少なくなるように構成しておけば、現地に設置された制御盤装置１０に対する作業時間をさらに短縮することができる。
【００２９】
また、フレーム体３は、取付パネル体２のパネル面と略同サイズに形成された矩形枠部６と、該矩形枠部６が該パネル面に対峙するようにして、該矩形枠部６を該取付パネル体２に支持する支持枠部７とを備えており、これにより、制御回路機器取付ユニット１の外形がブロック状になるので、運搬時や収納時の姿勢を起立状態にしたり横臥状態にしたり適宜変更することができる。また、本発明の制御回路機器取付ユニット１を複数個まとめて運搬したり収納したりするときに扱いやすい。
【００３０】
また、制御回路機器取付ユニット１は、複数個が互いに連結可能に構成され、該連結されたままの状態でパネル配設部１２に装着可能に構成されているので、多数の制御回路機器１４からなる回路ブロックをも構築することができる。
【００３１】
さらに、制御回路機器取付ユニット１は、制御回路機器１４が取り付けられた状態における重心が平面視で取付パネル体２よりもフレーム体３側へ離れた位置となるように構成されているので、取付パネル体２が安定的に略起立状態を維持することができ、取り外された状態にある該取付パネル体２に対する制御回路機器１４の着脱や、該制御回路機器１４に対する配線等の作業性が向上する。
【００３２】
取付パネル体２は、取付パネル片５３を利用して構成することもでき、この場合でも、前記いずれかの発明に係る制御回路機器取付ユニット１と同様の効果を得ることができる。
【００３３】
なお、本発明は前記実施形態に限定されるものではなく、例えば以下のように、発明の趣旨から逸脱しない範囲で適宜変更して具体化することもできる。
（１）フレーム体３が取付パネル体２の背面側に配設されるようにすること。
（２）フレーム体３の形状、サイズ、構成を適宜変更すること。
（３）本発明の制御回路機器取付ユニットを次のように構成すること。即ち、制御盤装置に設けられたパネル配設部に列設され、該制御盤装置に対し制御回路機器を取り付けるために使用される制御回路機器取付ユニットであって、前記パネル配設部に着脱可能に装着されるとともに、制御回路機器が取り付けられる取付パネル体と、該取付パネル体に装備され、前記パネル配設部から取り外された状態にある該取付パネル体を略起立状態に支持する枠状のフレーム体とを備えているようにすること。また、本発明の制御盤装置を、この制御回路機器取付ユニットを備えているようにすること。これらの構成によれば、前記実施形態の発明と同様の効果を、制御回路機器取付ユニットを装備した制御盤装置を新規に設置する場合にも得ることができる。
【図面の簡単な説明】
【００３４】
【図１】本発明を具体化した一実施形態に係る制御回路機器取付ユニット及び制御盤装置の内部の背面図である。
【図２】同制御回路機器取付ユニットの分解斜視図である。
【図３】同制御盤装置に対する同制御回路機器取付ユニットの取付構造を示す斜視図である。
【図４】従来の制御盤装置の内部の背面図である。
【図５】同制御盤装置の制御回路機器の取付構造を示す斜視図である。
【符号の説明】
【００３５】
１    制御回路機器取付ユニット
２    取付パネル体
２ａ  機器取付穴
２ｂ  縁部
２ｃ  縁部
３    フレーム体
４    締結手段
６    矩形枠部
７    支持枠部
７ａ  ベース枠
７ｂ  支持枠片
８    連結穴
１０    制御盤装置
１１    筐体
１１ａ  棚
１２    パネル配設部
１２ａ  フレーム片
１２ｂ  フレーム片
１３    ワゴ端子
１４    制御回路機器
１５    線樋
１６    配線
【図１】
2008125255.tif 000003
【図２】
2008125255.tif 000004
【図３】
2008125255.tif 000005
【図４】
2008125255.tif 000006
【図５】
2008125255.tif 000007